(57)【要約】  本開示は、ユーザが、３次元（３Ｄ）データセットのボリュームレンダリングを視覚化し、ボリュームレンダリングを操作し、動的に選択されたＭＰＲ平面においてＢモード画像を生成するよう３ＤデータセットのＭＰＲ平面を動的に選択することを可能にするユーザインタフェースを提供する医用イメージング及び視覚化システムを記載する。いくつかの例では、３Ｄデータセットは、ボリュームの２Ｄ投影としてレンダリングされ、ユーザコントロールは、ユーザがＭＰＲ平面のロケーションを動的に移動させることを可能にする、ディスプレイは、ボリュームのレンダリングを更新して、ＭＰＲ平面の現在のロケーション及び／又は対応するＢモード画像を示す。
2019517350.tif 000002
【特許請求の範囲】
【請求項１】
超音波イメージングシステムであって、
被検体のボリュームをイメージングするために被検体から超音波エコーを受信する超音波プローブと、
前記エコー信号を、イメージングされたボリュームに対応する３Ｄデータセットにするスキャンコンバータと、
前記３Ｄデータセットの２Ｄ投影画像をレンダリングし、前記３Ｄデータセットに対する切断平面のロケーションを示すユーザ入力を受け取るボリュームレンダラと、
前記切断平面の前記ロケーションに対応する前記イメージングされたボリューム内のスライスのＢモード画像を生成するマルチプラナリフォーマッタと
ユーザインタフェースと、
を有し、前記ユーザインタフェースは、２Ｄ投影画像、Ｂモード画像、又はその両方を表示するディスプレイと、ユーザが前記３Ｄデータセットに対する前記切断平面の前記ロケーションをインタラクティブに調整することを可能にする入力装置と、を有し、
前記ボリュームレンダラは更に、前記ユーザ入力に応じて、前記３Ｄデータセットに対する前記切断平面の前記ロケーションを視覚化するように前記２Ｄ投影画像を動的に更新する、超音波イメージングシステム。
【請求項２】
前記２Ｄ投影画像は、仮想観察者の視点から、前記切断平面と一致する及び前記３Ｄ平面の後ろの前記３Ｄデータセットの部分のみを表示する前記３Ｄデータセットの断面ビューを含む、請求項１に記載の超音波イメージングシステム。
【請求項３】
前記Ｂモード画像を前断面ビューと重ね合わせてオーバレイ画像を生成し、前記オーバレイ画像を前記ディスプレイに提供する画像プロセッサを更に有する、請求項２に記載の超音波イメージングシステム。
【請求項４】
前記入力装置は、トラックボール、タッチパッド、又はタッチスクリーンを有し、前記ボリュームレンダラは、前記トラックボール、前記タッチパッド、又は前記タッチスクリーンを通じて受け取られる入力に応じて、前記断面ビューを動的に更新する、請求項２に記載の超音波イメージングシステム。
【請求項５】
前記入力装置が、ユーザの手がハンドトラッキング装置の追跡フィールド内に存在する場合に前記ユーザの手の動きを追跡するハンドトラッキング装置を有し、前記ボリュームレンダラは、前記ユーザの手の動きを前記３Ｄデータセットに対する前記切断平面の移動に変換する、請求項１に記載の超音波イメージングシステム。
【請求項６】
前記入力装置は、ハンドトラッキング装置を有し、前記ハンドトラッキング装置は、前記ハンドトラッキング装置の追跡フィールド内に提示される場合にユーザの手又はその一部の動きを追跡し、前記ハンドトラッキング装置は、前記動きに応じて追跡データを生成し、前記ボリュームレンダラは、前記追跡データに基づいて前記２Ｄ投影画像を更新する、請求項１に記載の超音波イメージングシステム。
【請求項７】
前記マルチプラナリフォーマッタは、前記切断平面の前記ロケーションから離れた平行なスライス面における複数のＢモード画像の少なくとも１つを生成し、又は前記切断平面に対して斜めのスライス面における１又は複数の付加のＢモード画像を生成する、請求項１に記載の超音波イメージングシステム。
【請求項８】
前記入力装置は、前記平行なスライス面の間隔、前記斜めの平面の間の角度、又はそれらの両方を指定するためのユーザ入力を受け取るように動作可能なユーザインタフェース素子を提供する、請求項１に記載の超音波イメージングシステム。
【請求項９】
前記マルチプラナリフォーマッタは、前記切断平面の前記ロケーションの標示を受け取ることに応じて、前記Ｂモード画像を自動的に生成する、請求項１に記載の超音波イメージングシステム。
【請求項１０】
超音波イメージングされた生物学的組織のボリュームに対応する３Ｄデータセットを受け取るステップと、
前記３Ｄデータセットのボリュームレンダリングを生成するステップと、
ディスプレイ上に前記ボリュームレンダリングを表示するステップと、
前記３Ｄデータセットに対する切断平面のロケーションを変更するためのユーザ入力を受け取るステップと、
前記ボリュームレンダリングを更新して、前記３Ｄデータセットの断面ビューを表示するステップであって、前記断面ビューは、前記切断平面の一方の側に一致する及び前記一方の側に配される前記３Ｄデータセットの部分のみを含む、ステップと、
前記切断平面と一致する前記３Ｄデータセットの平面におけるＢモード画像を自動的に生成するステップと、
を含む方法。
【請求項１１】
前記切断平面の前記ロケーションの標示を受け取ることに応じて、前記Ｂモード画像を自動的に表示するステップを更に含む、請求項１０に記載の方法。
【請求項１２】
前記Ｂモード画像を前記３Ｄデータセットの前記断面ビューに重ねるステップを更に含む、請求項１０に記載の方法。
【請求項１３】
前記切断平面の前記ロケーションを変更するための前記ユーザ入力が、トラックボール、タッチパッド、又はタッチスクリーンを介して受け取られる、請求項１０に記載の方法。
【請求項１４】
前記切断平面と前記３Ｄデータセットとの間の相対位置を維持しながら、投影平面に対し前記投影データを移動させるための入力を受け取るステップを更に含む、請求項１０に記載の方法。
【請求項１５】
前記切断平面が第１の切断平面であり、前記方法が、前記３Ｄデータセットに対する第２の切断平面のロケーションを変更するための入力を受け取るステップを更に含む、請求項１０に記載の方法。
【発明の詳細な説明】
【技術分野】
【０００１】
従来の２次元（２Ｄ）超音波は、医用イメージングにとって臨床的に重要な技術であるが、高度の解剖学的リアリズムを有する画像を提供するレンダリング技術の出現が、３Ｄ超音波の人気を高めている。
【背景技術】
【０００２】
３Ｄ超音波は、イメージングされる生体組織ボリュームに対応する３Ｄデータセットを取得するイメージング技術である。３Ｄ超音波の１つの利点は、データ収集中又はデータ収集後に、イメージングされたボリュームを通じて任意の向きの平面を再構成する能力である。この技法は、マルチプラナリフォーマット又は再構成と呼ばれる。従来のシステムでは、マルチプラナリフォーマッタは、一般的に、（例えば、アキシャル、サジタル、又はコロナル平面内の）標準の直交ビュー、又はユーザによって指定される斜めの平面を生成する。
【発明の概要】
【発明が解決しようとする課題】
【０００３】
従来のシステムにより関心のある特定の平面を特定することは、煩雑でありえ、通常、熟練したオペレータがボリュームデータをナビゲートして所望の平面を識別することを必要とする。画像ボリュームを介して２Ｄスライスを生成するための、より直感的及び／又はインタラクティブなアプローチが望まれることがある。
【０００４】
いくつかの例によれば、超音波イメージングシステムは、被検体のボリュームをイメージングするために被検体から超音波エコーを受信するように構成された超音波プローブを有することができる。超音波イメージングシステムは更に、エコー信号を、イメージングされるボリュームに対応する３Ｄデータセットに配置するように構成されるスキャンコンバータと、３Ｄデータセットの２Ｄ投影画像をレンダリングするように構成され、更に、３Ｄデータセットに対する切断平面のロケーションを示すユーザ入力を受け取るように構成されるボリュームレンダラと、を有する。超音波イメージングシステムは、切断平面の位置に対応するイメージングされたボリュームを通るスライスのＢモード画像を生成するように構成されたマルチプラナリフォーマッタ（ＭＰＲ）を有することができる。超音波イメージングシステムは更に、少なくとも１つの出力装置と少なくとも１つの入力装置とを含むユーザインタフェースを有することができる。出力装置は、ボリュームレンダラによって生成される２Ｄ投影画像、及び／又はＭＰＲからのＢモード画像を表示するように構成されたディスプレイを有することができる。いくつかの例では、２Ｄ投影画像及びＢモード画像が並べて表示される。他の例では、超音波イメージングシステムは、Ｂモード画像及び２Ｄ投影画像のオーバレイ画像を生成して表示するように構成される。いくつかの例では、２Ｄ投影画像のみが表示され、選択された切断平面に対応するＢモード画像が、メモリに記憶するため、及び／又はレポートに含めるために出力される。
【０００５】
超音波イメージングシステムの入力装置は、１又は複数の物理的制御器（例えば、プッシュボタン、キーボード、タッチパッド、トラックボール又は他の回転制御器、又は、ソフト制御器とも呼ばれるグラフィカルユーザインタフェースウィジェットを表示するタッチスクリーン）を有することができ、物理的制御器は、超音波イメージングシステムの制御パネル上に提供されることができる。いくつかの例において、超音波イメージングシステムは、付加的又は代替的に、ユーザが超音波イメージングシステムの制御パネルに物理的に触れることなく入力を提供することを可能にするタッチレスインタフェースを含むことができる。いくつかの例において、超音波イメージングシステムの入力装置は、ディスプレイ上にレンダリングされる３Ｄデータセットに対して切断平面を動的に位置決めするためのユーザ入力を受け取るように構成される。ボリュームレンダラは、ユーザ入力に応答して２Ｄ投影画像を動的に更新して、３Ｄデータセットに対する切断平面のロケーションを視覚化し、切断平面のロケーションをＭＰＲに伝達し、ＭＰＲが、イメージングされるボリュームの対応するＭＰＲスライスを生成する。
【課題を解決するための手段】
【０００６】
本開示による方法は、超音波イメージングされた生物学的組織のボリュームに対応する３Ｄデータセットを受け取るステップと、３Ｄデータセットのボリュームレンダリングを生成するステップと、ディスプレイ上にボリュームレンダリングを表示するステップと、３Ｄデータセットに対する切断平面のロケーションを変更するためのユーザ入力を受け取るステップと、ボリュームレンダリングを更新して３Ｄデータセットの切断ビューを表示するステップであって、切断ビューが、切断平面の１側面に一致する及び一側面に位置する３Ｄデータセットの部分のみを有する、ステップと、切断平面に一致する３Ｄデータセットの平面におけるＢモード画像を自動的に生成するステップと、を有する。
【０００７】
更に、３Ｄデータセットを操作しレンダリングする、及び／又は３ＤデータセットからＢモード画像を抽出するための技法のいずれも、非一時的コンピュータ可読媒体に記憶される実行可能命令に具体化されることができ、実行可能命令は、実行される際、医用イメージングシステムが、非一時的なコンピュータ可読媒体に具体化されたプロセスを実行するようにプログラムされるようにする。
【図面の簡単な説明】
【０００８】
【図１Ａ】本開示の原理によるシステムのブロック図。
【図１Ｂ】本開示の原理によるレンダリング環境における３Ｄデータセットを示す図。
【図２】本開示のいくつかの実施形態による超音波イメージングシステムのブロック図。
【図３Ａ】本開示の原理により生成された画像を示す図。
【図３Ｂ】本開示の原理により生成された画像を示す図。
【図３Ｃ】本開示の原理により生成された画像を示す図。
【図３Ｄ】本開示の原理により生成された画像を示す図。
【図３Ｅ】本開示の原理により生成された画像を示す図。
【図４】本開示によるボリュームレンダリングインタフェースを具体化することができる超音波イメージングシステムの一部を示す図。
【図５】フローチャートを示す図。
【図６】レンダリング及び操作プロセスにおけるステップのブロック図。
【図７】実施例を示す図。
【図８】実施例を示す図。
【図９】実施例を示す図。
【図１０】実施例を示す図。
【図１１】実施例を示す図。
【発明を実施するための形態】
【０００９】
特定の例示的な実施形態の以下の説明は、事実上単なる例示であり、本発明又はその用途又は使用を限定することを決して意図しない。本発明のシステム及び方法の実施形態の以下の詳細な説明において、本明細書の一部を形成する添付の図面が参照され、図面において、説明されるシステム及び方法が実施され得る特定の実施形態が例示される。これらの実施形態は、当業者がここに開示されるシステム及び方法を実施することができるように十分に詳細に記載されており、他の実施形態が利用されることがき、構造的及び論理的な変更が本システムの精神及び範囲から逸脱することなく実施されことができることが理解されるべきである。更に、明瞭化のために、特定の特徴の詳細な説明は、本システムの説明を不明瞭にしないために、それらが当業者に明らかである場合は説明されない。従って、以下の詳細な説明は限定的な意味で解釈されるべきではなく、本システムの範囲は添付の特許請求の範囲によってのみ規定される。
【００１０】
医用イメージングにおいては、生体組織の画像が、リアルタイムに又はデータセット取得後にレンダリングされることができる。画像は、被検体のイメージングされた組織を通る単一の平面又はスライスに対応する２Ｄ画像（例えば、Ｂモード超音波画像）でありえ、又は、それらは、イメージングされたボリュームの２Ｄレンダリング（例えば３Ｄ超音波画像）でありうる。２Ｄスライス又は平面は、対象の器官又は組織の又は器官内又は組織内の構造に関する情報を非侵襲的に取得するために、診断、治療、又は外科的計画中などのさまざまな臨床応用において広く一般に使用されている。医用イメージングシステムの進歩は、高度な解剖学的リアリズムを伴うボリュームレンダリングを生成する能力を提供し、これは、臨床医が非常に直感的な方法で患者の解剖学的構造を見ることを一層可能にしている。例えば、出生前モニタリングの好適なモダリティである超音波ソノグラフィは、今日一般的に、イメージングされた胎児のボリュームレンダリングを提供することができる。しかし、臨床的に重要な情報及び測定値を得るためには関心領域を通る２Ｄスライスが、最終的に使用されるとともに、それらが一般に超音波レポートに含めるために必要とされるので、このようなボリュームレンダリングは、これまで超音波検査者には非常に限られたものであり又は価値がないものであった。本明細書に記載されたシステム及び方法は、医用イメージングアプリケーションにおいてより大きな臨床的価値を提供するようなボリュームレンダリングの使用を可能にすることができる。例えば、スライスの２Ｄ画像をビューする際の向きの精細な理解は、画像内に見えるものを理解する上で不可欠である。多くの場合、オペレータが自己を方向付けし、正しい２Ｄ平面が取得されることを確実にするために、イメージングセッション中にかなりの時間が費やされる。本明細書に記述されるシステム及び技法は、オペレータが検査する及び／又はレポートに含める適当な２Ｄスライスをより効率的かつ直観的に識別することを可能にすることができる。
【００１１】
図１は、本開示による、３ＤデータセットからＢモード画像を生成するように構成された例示的なシステム１００を示す。システム１００は、ボリュームレンダラ１１２、マルチプラナリフォーマッタ１１４、及びユーザインタフェース１３０を有することができ、ユーザインタフェース１３０は、システム１００によって生成された画像（例えば、Ｂモード画像１０６、ボリュームレンダリング１０４、及びこれら２つのオーバレイ１０６）を表示するように動作可能なディスプレイを有する。画像は、３Ｄデータセットから生成され、リアルタイムに（例えばデータ取得中に）又は取得後に、表示され得る。よく知られているように、Ｂモード画像は、画像内の対応するピクセルの輝度を変調することによって、与えられた平面について受信されたエコーの強度を表現するグレースケール画像である。一方、３Ｄボリュームレンダリングは、例えば等値面抽出、ボリュームレイキャスティング、スプラッティング、せん断歪曲、テクスチャベースのボリュームレンダリング、最大強度投影などの任意の既知のボリュームレンダリング技術を使用して生成されることができる。例えば、ボリュームの２Ｄ投影は、画像ボリュームに仮想レイをキャストすることによって取得されることができる。レイが、仮想観察者の位置からイメージングされたボリューム内の関心領域に向けてキャストされるとき、さまざまな解剖学的構造が視線に沿って介在しうる。シミュレートされた光源が、深さ知覚を提供するために使用され、入射光の方向は、ボリュームレンダリングにおける影及び反射の外観をもたらす。医用イメージングデータの３Ｄデータセットのボリュームレンダリングは、既知のシステムにより生成されているが、臨床コミュニティは、診断又は治療計画を行うのに必要な重要な情報について、従来の２ＤＢモード画像にほぼ完全に頼っているので、このようなボリュームレンダリングは、超音波技師又は治療医にとっては限られた有用性しかない。
【００１２】
本明細書に記載される原理は、３Ｄデータセットのボリュームレンダリングのための新たな臨床的に重要なアプリケーション提供することができ、これらのアプリケーションの１つは、３ＤデータセットからＢモード画像を抽出するため当該平面を簡単かつ効率的に識別する。この点に関して、システム１００は、レンダリングされたボリューム及び／又はボリュームを通る対応するＭＰＲスライスに関連して切断平面の変化するロケーションをユーザが視覚化することを可能にするために、ユーザの入力に応答して、イメージングされたボリュームの２Ｄ投影画像をリアルタイムに動的に更新するように構成されることができる。切断平面の位置は、（例えばボリュームの操作中に）リアルタイムにＭＰＲに伝達され、それにより、ユーザがＭＰＲスライスの所望の平面を手動で識別することなしに、ＭＰＲは、３Ｄデータセットから対応するＭＰＲスライスを自動的に再構成することができる。
【００１３】
ボリュームレンダラ１１２は、３Ｄデータセット１５０を受け取り、表示のために３Ｄデータセットのボリュームレンダリング１０２を生成することができる。いくつかの例では、ボリュームレンダラ１１２は、超音波イメージングシステムのスキャンコンバータ１１６から３Ｄデータセットを受け取ることができ、スキャンコンバータは、超音波イメージングシステムにより取得されたエコー信号を３Ｄデータセット１５０に変換するように構成される。他の例では、３Ｄデータセット１５０は、メモリ１１８から取り出されることができ、メモリ１１８は、３Ｄデータセットを取得するために使用された超音波イメージングシステムなどのイメージングシステムのメモリ、画像アーカイブ及び通信システム（ＰＡＣＳ）の記憶装置、又はポータブルメモリデバイスでありうる。ボリュームレンダラは、１又は複数のユーザ入力装置（例えば、制御パネル、タッチスクリーン、タッチレスインタフェース）を含むユーザインタフェース１３０と機能的に関連付けられることができる。ユーザインタフェースは、ユーザがレンダリング環境（例えば、３Ｄ仮想空間又はレンダリング空間）内において、レンダリングされたボリュームを操作することを可能にすることができる。
【００１４】
ここで図２を参照して、３Ｄデータセット１５０が、仮想空間とも呼ばれるレンダリング環境１６０に示されている。３Ｄデータセット１３０は、イメージングされる生体組織のボリュームに対応してもよく、１又は複数の関心領域１３５を含むことができる。関心領域１３５は、対象物の一部（例えば、血管壁、心臓弁）でありえ、又は対象の全体（例えば、腫瘍、胎児）でありうる。例示を容易にするために、３Ｄデータセット１３０及び関心領域１３５は、単純な幾何学的形状で示されているが、いくつかの例では、それらは異なる形状にされることができる。この例の３Ｄデータセット１３０は、いくつかのレンダリング構造と共にレンダリング環境に図示されている。レンダリング座標フレーム１６２は、レンダリング環境１６０に関連付けられることができ、３Ｄデータセットは、データセットを取得するために使用される超音波プローブの基準フレームである局所座標系１５４に関して規定されることができる。代替として、レンダリング構造物のうちいずれかの位置又は観察者１７５の視点が、３Ｄデータセットの座標系に対して規定されることができる。ボリュームレンダリングを生成する際、レンダリング座標フレーム１６２のＸＹ平面でありうる投影平面１７０に対する３Ｄデータセットの相対位置、及び投影平面１７０に対し通常垂直である仮想観察者の視点は、一般にデフォルトパラメータに基づいてセットされる。投影平面１７０に対する３Ｄデータセットの相対的な位置及び向きは、レンダリング環境内におけるボリュームの操作中にユーザによって変更されることができる。
【００１５】
３Ｄデータセット及び任意の他のレンダリング構造は、仮想空間内で互いに対し移動可能でありうる。いくつかの例において、シミュレートされた光源１６４、切断平面１６６、及び３Ｄデータセット１５０は、ユーザ入力に応じて、互いに対して、及び／又は座標フレーム１６２に関連して並びに投影平面１７０に対して、移動される（例えば、並進される及び／又は回転される）ことができる。例えば、ユーザ入力に応答して、切断平面１６６は、矢印１５６によって示されるように、投影平面に垂直に並進されることができ、及び／又は矢印１５７及び１５８によって示されるようなＸＬ軸及びＹＬ軸又はそれらに平行な軸のいずれかを中心に回転されることができる。３Ｄデータセットに対する切断平面１６６の並進及び回転は、従来のインラフェース（例えば、物理的な制御器）又はタッチレスインタフェース１４０を介したユーザ入力に応答することができる。いくつかの例において、タッチレスインタフェース１４０は、ボリュームレンダラと機能的に接続されることができ、それにより、タッチレスインタフェースのトラッキングフィールド内の物体の移動が、ボリュームレンダラ１１２によって、切断平面１６６の移動に変換される。
【００１６】
３Ｄデータセット１５０は、イメージングされるボリューム内の任意の所与の点（又は座標ロケーション）についてエコー強度情報を含むことができる。例えば、デカルト座標系では、３Ｄデータセット１５０は、各ボクセルのエコー強度値と共に、データセット内の各ボクセルのｘ、ｙ、ｚ座標を指定するボクセルデータを含むことができる。上述したように、投影平面１７０に対するボリュームの２Ｄ投影画像１６８は、例えばレイキャスティング及びスプラッティングを使用する既知の技法に従ってレンダリングされることができる。関心領域を含む３Ｄデータセットの２Ｄ画像をレンダリングする際、シミュレートされた光源１６４のロケーション、強度又は方向性は、ボリュームの表面上のシェーディング（影付け）を決定することができ、それにより、ユーザの深さ知覚を提供することができる。
【００１７】
ボリュームレンダラ１１２は、ユーザインタフェース１３０を介してユーザ入力を受け取るように構成することができる。例えば、ユーザインタフェース１３０は、ボタン、キーボード、トラックボール、タッチパッド、及び／又はグラフィカルユーザインターフェース（ＧＵＩ）要素（ウィジェットとも呼ばれる）を使用して実現されるソフト制御器のような１又は複数のユーザ入力装置１３２を有することができる。物理的制御器は、システムの制御パネル１３４上に提供されることができ、場合によっては、タッチスクリーンを含むか、又はタッチスクリーンと機能的に関連付けられることができる。前述したように、いくつかの例において、システム２００は、代替として、又は付加的に、タッチレスインタフェース１４０を有することができる。タッチレスインタフェース１４０は、ハンドトラッキングデバイス１４２のトラッキングフィールドに提示される場合にユーザの手の動きを追跡するように構成された、例えば光学追跡装置のようなハンドトラッキング装置１４２を有することができる。いくつかの実施形態では、ハンドトラッキングデバイス１４２は、LeapMotion,Inc.によって製造されたLeap Motion Controllerを使用して実現されることができる。いくつかの例において、ハンドトラッキングデバイス１４２は、ユーザの手又はその一部の一方又は両方の動きを追跡し、規則的に間を置いた時間間隔（例えば、１マイクロ秒ごと、又は数マイクロ秒ごと）で、追跡される各物体の離散的な位置及び位置の変化を識別する追跡データを生成することができ、それにより、ユーザの手の複雑な動きが、レンダリング環境においてボリュームを操作するための操作コマンドにマッピングされることができる。いくつかの例において、ボリュームレンダラは、ユーザの手の一方（例えば、左手）の動きを３Ｄデータセットに対する切断平面の動きに変換し、ユーザの手の他方（例えば、右手）の動きをレンダリング環境内での（例えば投影面に対する）３Ｄデータセットの動きに変換するように構成されることができる。いくつかの例において、ボリュームレンダリング環境は、ユーザが斜めの（例えば、直交した）平面でＢモード画像を生成することができるように、互いに或る角度をなして配置されうる複数の切断平面を提供することができる。そのような場合、一方の手の動きは、切断平面のうちの一方の動きに変換されることができ、他方の手の動きが、第２の切断平面の動きに変換されることができる。
【００１８】
ユーザインタフェース１３０は更に、ディスプレイ１３６のような１又は複数の出力装置を有することができる。システム２００によって生成された画像（例えば、ボリュームレンダリング１０２、Ｂモード画像１０４）は、例えばディスプレイ１３６の表示ウィンドウ１３８に表示されることができる。ディスプレイ１３６は、例えば容量性タッチセンシングを使用するタッチセンシティブなものでありえ、それにより、入力インタフェースの一部として機能するタッチスクリーンディスプレイを提供する。いくつかの例において、ディスプレイは、別個の非タッチセンシティブ表示ユニットであってもよい。
【００１９】
本明細書の実施例によれば、ボリュームレンダラ１１２は、仮想空間１６０内のボリューム（例えば、レンダリングされた３Ｄデータセット１５０）を操作するためのユーザ入力を受け取ることができる。いくつかの例では、ボリュームレンダラ１１２は、パン（例えば、投影面１７０に平行な平面内での並進）、ズーム（例えば、ＺＲ軸に沿った並進）及び座標フレーム１６２に対するボリュームの回転のためのユーザ入力を受け取ることができる。更に、ボリュームレンダラ１１２は、シミュレートされた光源１６４のロケーション、強度、又は方向性の変更、又は、データセット１５０に対する切断平面１６６のロケーション及び向きの変更など、１つ又は複数のレンダリング構造を調整するためのユーザ入力を受け取ることができる。ボリュームレンダラ１１２は、切断平面１６６のロケーションをマルチプラナリフォーマッタ１１４に送信することができ、マルチプラナリフォーマッタ１１４は、切断平面１６６と一致するスライス面において、ＭＰＲ画像又はＭＰＲスライスとも呼ばれるＢモード画像１０４を自動的に生成するように構成されている。例えば、胎児超音波アプリケーションでは、システムは、胎児のボリュームレンダリングを生成するために使用されることができる。ボリュームレンダリングインタフェースを介して、ユーザは、切断平面のロケーションをインタラクティブに調整することができる一方で、ボリュームレンダラは、リアルタイムにレンダリングを更新して、切断平面と一致する及び切断平面の後ろのボリュームの部分（表示される部分とも呼ばれる）のみを示す断面ビューを表示することができる（図４Ａのイメージングされる胎児の断面ボリュームレンダリングを参照）。
【００２０】
同時に、マルチプラナリフォーマッタ１１４は、ユーザがインタラクティブに切断平面のロケーションを調整すると、各切断平面の位置と一致するスライス面においてＢモード画像を生成する（例えば、図４Ｂは図４Ａの断面ビューに対応するＢモード画像を示す）。ボリュームレンダリング画像及びＢモード画像の両方は、あるケースでは同じ表示ウィンドウ内に並べた配置で、又はオーバレイとして同時に表示することができ（例えば、図４Ｃを参照）、それにより、ユーザが切断平面のロケーションをインタラクティブに調整（例えばスクロール）しながら、そのスライス面の対応するＢモード画像を視覚化することを可能にする。ボリュームのレンダリングと同時にＢモード画像を表示することにより、ユーザは、臨床上重要なＢモード画像を得るための重要な平面をより容易に方向付けし識別することができる。ボリュームレンダラ１１２及びマルチプラナリフォーマッタ１１４は、システム１００の画像処理回路１１０に機能的に関連付けられ又は画像処理回路１１０の一部でありえ、画像処理回路１１０は付加的に、オーバレイの生成、画像への注釈付け、及び表示する前のデータのバッファリングなどの機能を実行することができる。このようにして、ユーザが３Ｄボリュームを視覚化しながら関連するスライス面を動的に選択できるようにすることにより、システム１００は、ユーザがより直感的かつ効率的に３Ｄイメージングデータセットから必要なＢモード画像を抽出することを可能にするよりユーザフレンドリなインタフェースを提供することができる。切断平面のロケーションを動的に選択し又は移動することによって、ユーザが切断平面をドラッグするときに、レンダリング更新と共にユーザがボリュームを通じて切断平面をスクロールし又はドラッグすることができるようにすることを意味する。
【００２１】
いくつかの例では、ボリュームが更に操作される（例えば、クロッピングのために別の投影面を識別するよう、並進される、回転される、その他）間、又はシミュレートされた光が操作されている間、レンダリングインタフェースは、ユーザがボリュームに対して切断平面１１６の位置及び向きをフリーズする又はロックすることを可能にするように更に構成されてもよい。この点に関して、ボリュームレンダラ１１２は、ボリュームを移動させるためのユーザコマンドに応答してレンダリングを更新しながら、切断平面１１６と３Ｄデータセットとの間の相対位置を維持するように構成されることができる。ユーザがボリュームを操作するに従って、３Ｄデータセットの表示される部分は、観察者の視点に対して移動し、例えば、ユーザがボリュームを回転することに応じて、切断平面と一致するレンダリングされたボリュームの面が、投影面に対して斜めに配置されるようにする。
【００２２】
図２は、本開示の原理に従って構成された超音波イメージングシステム２００のブロック図を示す。超音波イメージングシステム２００は、図１Ａ−図１Ｂを参照して上述した１又は複数のコンポーネントを有することができる。超音波イメージングシステムは、本発明の実施形態の説明的な例において説明されているが、本発明の実施形態は、他の医用イメージングモダリティにより実施されることができる。他のモダリティは、磁気共鳴イメージング及びコンピュータトモグラフィを含むことができるが、これらに限定されない。本明細書に記載の技法は、３Ｄ画像データセットを取得するために使用されることができる事実上あらゆるイメージングモダリティに適用されることができる。
【００２３】
図２の超音波イメージングシステム２００は、超音波を送信し、エコー情報を受信するトランスデューサアレイ２１４を有する超音波プローブ２１２を具備する。種々のトランスデューサアレイが、当該技術分野において知られており、例えば線形アレイ、凸型アレイ、又はフェーズドアレイ等である。トランスデューサアレイ２１４は、例えば、２Ｄ及び／又は３Ｄイメージングの仰角及び方位の両方の次元でスキャン可能なトランスデューサ素子の２次元アレイ（図示される）を有することができる。トランスデューサアレイ２１４は、超音波プローブ２１２内のマイクロビームフォーマ２１６に結合される。マイクロビームフォーマ２１６は、アレイ２１４内のトランスデューサ素子による信号の送信及び受信を制御する。この例では、マイクロビームフォーマ２１６は、プローブケーブルによって送受信（Ｔ／Ｒ）スイッチ２１８に結合されており、送受信（Ｔ／Ｒ）スイッチ２１８は、送信／受信を切り換え、主ビームフォーマ２２２を高エネルギー送信信号から保護する。いくつかの実施形態において、例えばモバイル超音波システムでは、システム内のＴ／Ｒスイッチ２１８及び他の構成要素が、別個の超音波システムベース部ではなく、超音波プローブ２１２に含められることができる。マイクロビームフォーマ２１６の制御下でトランスデューサアレイ２１４からの超音波ビームの送信は、Ｔ／Ｒスイッチ２１８及びビームフォーマ２２２に結合された送信コントローラ２２０によって指示され、ビームフォーマ２２２は、ユーザインタフェース２２４のユーザ操作から入力を受け取る。ユーザインタフェース２２４は、１又は複数の入力装置２５０（例えば、制御パネル２５２、タッチレスインタフェース２５４、及び／又はタッチスクリーン）を含むことができる。
【００２４】
送信コントローラ２２０によって制御される機能の１つは、ビームが操縦される方向である。ビームは、トランスデューサアレイ２１４から真っすぐ延びる方向に（トランスデューサアレイ２１４に直交）、又はより広い視野にわたる複数の異なる角度にステアリングされることができる。マイクロビームフォーマ２１６によって生成された部分的にビーム形成された信号は、主ビームフォーマ２２２に結合され、主ビームフォーマ２２２において、トランスデューサ要素の個々のパッチからの部分的にビームフォーミングされた信号は、完全にビームフォーミングされた信号に結合される。ビームフォーミングされた信号は、信号プロセッサ２２６に結合される。信号プロセッサ２２６は、受信されたエコー信号を、バンドパスフィルタリング、デシメーション、Ｉ成分及びＱ成分分離、及び高調波信号分離などのさまざまなやり方で処理することができる。信号プロセッサ２２６は、スペックル低減、信号合成、及びノイズ除去などの追加の信号エンハンスメントを実行することもできる。処理された信号は、Ｂモードプロセッサ２２８に結合され、Ｂモードプロセッサ２２８は、体内の構造のイメージングのために振幅検出を用いることができる。Ｂモードプロセッサ２２８によって生成された信号は、スキャンコンバータ２３０及びマルチプラナリフォーマッタ２３２に結合される。スキャンコンバータ２３０は、受信した空間関係におけるエコー信号を所望の画像フォーマットに変換する。例えば、スキャンコンバータ２３０は、エコー信号を２次元（２Ｄ）セクタ形状フォーマット、又はピラミッド又は他の形状の３次元（３Ｄ）フォーマットに変換することができる。マルチプラナリフォーマッタ２３２は、米国特許第6,443,896号（Detmer）に記載されるように、身体のボリュメトリック領域内の共通平面内の点から受信したエコーを、当該平面の超音波画像（例えば、Ｂモード画像）に変換することができる。ボリュームレンダラ２３４は、３Ｄデータセットのエコー信号を、例えば、米国特許第6,530,885号（Entrekin他）に記載されるように、所与の基準ポイントから見た３Ｄデータセットの投影画像に変換する。
【００２５】
いくつかの実施形態において、ボリュームレンダラ３３４は、ユーザインタフェース２２４から入力を受け取ることができる。入力は、所与の基準ポイント（例えば、仮想オブザーバの視点）、シミュレートされた光源のロケーション、及び／又はレンダリングされた投影画像のシミュレートされた光源の特性を含むことができる。スキャンコンバータ２３０、マルチプラナリフォーマッタ２３２、及び／又はボリュームレンダラ２３４からの画像は、画像ディスプレイ２３８上に表示するために、更なるエンハンスメント、バッファリング及び一時的記憶のために、画像プロセッサ２３６に結合される。画像プロセッサ２３６は、Ｂモード画像を投影画像にオーバレイし、又は３Ｄデータセットの投影画像と並べてＢモード画像を同時に表示する。ボリュームレンダラ２３４は、いくつかの実施形態では、さまざまなレンダリング構造の視覚キューをレンダリングし、又は画像プロセッサにレンダリングさせることができる。いくつかの実施形態において、シミュレートされた光源又は切断平面の視覚キューは、３Ｄデータセットの投影画像にレンダリングされることができる。グラフィックスプロセッサ２４０は、画像と共に表示するためのグラフィックオーバレイを生成することができる。これらのグラフィックオーバレイは、例えば、患者名、画像の日時、イメージングパラメータなどの標準の識別情報を含むことができる。これらの目的のために、グラフィックスプロセッサは、タイプされた患者名又は他の注釈などの入力を、ユーザインタフェース２２４から受け取る。いくつかの実施形態において、グラフィックスプロセッサ、画像プロセッサ、ボリュームレンダラ、及びマルチプラナリフォーマッタのうちの少なくとも１つの１又は複数の機能は、これらのコンポーネントの各々に関して説明された特定の機能が個別の処理ユニットによって実行されるのではなく、統合画像処理回路に組み合わせられることができる（その動作は、並行に作動する複数のプロセッサの間で分割されることができる）。ユーザインタフェース２４２は更に、複数のマルチプレーナリフォーマット（ＭＰＲ）画像の表示の選択及び制御のために、マルチプラナリフォーマッタ２３２に結合されることができる。
【００２６】
図３Ａ−図３Ｅは、ボリュームレンダリングインタフェースの出力を示し、より具体的には、本開示によるシステムによって提供されることができる画像を示す。図３Ａは、胎児３２５をイメージングすることによって取得された３Ｄ超音波データセット３５０のボリュームレンダリング３０２（本明細書では投影画像とも呼ばれる）を示す。シミュレートされた光源３２５の視覚キューもまた、レンダリング３０２内に示されている。ボリュームレンダリング３０２は、３Ｄ超音波データセット３５０によって表現されるイメージングされたボリュームの断面ビューである。断面ビューは、ユーザがＢモード画像を抽出するために所望の平面を視覚的に識別するまで、例えばユーザがボリュームの内部で及び外部で切断平面を移動させることによって、レンダリングされた３Ｄデータセット３５０をインタラクティブにクロッピングすることによって、得られる。断面ビューは、切断平面と一致し、切断平面の一方の側（例えば、仮想観察者の視点から知覚される切断平面の後ろ）に位置する３Ｄデータセットの一部のみを投影することによって生成される。切断平面のロケーションは、マルチプラナリフォーマッタに結合され、マルチプラナリフォーマッタは、当該平面におけるＢモード３０４画像を自動的に生成する。言い換えると、マルチプラナリフォーマッタは、ユーザのボリューム操作に応じて、ボリュームレンダラによって提供される情報に基づいてＭＰＲスライス面を決定する。レンダリングされた断面ビューに基づいてＭＰＲが自動的にＢモード画像を生成するという概念は、ＭＰＲが、ＭＰＲ平面のロケーションを手動で指定する必要はないが、いくつかの実施形態では、ＭＰＲは、表示された断面ビューが所望のＭＰＲ平面に一致することを示す確認的なユーザ入力を受け取ることができる。
【００２７】
いくつかの例において、２つの画像（レンダリング３０２及びＢモード画像３０４）が並べて表示され、各画像は、オペレータがボリュームをクロップするに従って動的に更新され、又は代替として、レンダリング３０２及びＢモード画像３０４は、図３Ｃに示されるオーバレイ画像３０６においてオーバレイされ、重ね合わされるＢモード画像が、この断面ビューに対応するようリアルタイムに更新される。他の例では、Ｂモード画像は、オペレータがボリュームをクロップする間に表示されず、その代わりに、表示された断面ビューが所望の切断平面のロケーションを表すことを確認するユーザ入力を受け取ることに応じて、例えばレポートに含めるためにメモリに出力される。ボリュームデータのレンダリングと共にＢモード画像を並置する又は重ね合わせるボリュームレンダリングインタフェースは、所望のスライスを識別するためにボリュームを形成する複数のスライスの各々にわたって順次移動する必要なしに、ボリュームデータセットから単一又は複数のスライスを直観的かつ効率的に選択することを可能にする。
【００２８】
いくつかの例において、切断平面と一致するボリュームの面のレンダリングは、図示した例のように、ボリューム内の切断平面のロケーションに関してユーザに視覚キューを提供する。他の例では、レンダリング内に、レンダリングされたボリュームの境界を越えて拡張するプラナ表面の形の付加的な視覚ビューが表示されることができる。ユーザは、視覚キューを選択しドラッグすることによって、切断平面のロケーションを変更することができる。他の例において、レンダリングインタフェースがボリュームクロッピングモードにある場合、トラックボール又はロータリエンコーダなどの所与の制御器の操作に応じて、切断平面のロケーション又は向きの変更が実施されることができる。タッチレスインタフェースを有する実施形態において、切断平面の位置又は向きの変更は、ユーザの所定の手（例えば、右手又は左手）の動きに応じて実施されてもよい。例えば、タッチレスユーザインタフェースのトラッキングフィールド内外におけるユーザの手の並進移動は、切断平面をボリューム内外に移動させ、他方、ユーザの手の回転は、ボリュームに対して切断平面を回転させる。いくつかの例において、切断平面の移動は、投影面に垂直な方向に沿った並進のみに限定されることができる。
【００２９】
いくつかの例において、ボリュームは、例えば斜めのスライス面のＢモード画像を生成するために、複数の方向に沿ってクロップされることができる。そのような例では、複数の切断平面は、同時に又は順次に活性化されることができる。切断平面が活性化されている間（例えばレンダリングされたボリュームをクロップするように動作可能である間）、１又は複数の切断平面の視覚キューが表示されることができる。いくつかの例において、ユーザが、同時に複数の切断平面のいずれかのロケーションを操作できるように、複数の切断平面（例えば、２つの切断平面）が任意の所与の時間に活性化されている。他の例では、１つの切断平面（例えば、投影面に平行に配置された切断平面）のみが任意の所与の時間に活性化されており、Ｂモード画像が、活性化した切断平面と一致する平面についてのみ自動的に生成される。ユーザは、例えば投影面に対してボリュームを回転させることによって、第１の切断平面を非活性化した後に別の切断平面を活性化することができる。例えば、図３Ｄのボリュームレンダリング３０２'は、図３Ａの断面ビューを生成するために使用される切断平面に対してある角度をなす切断平面を使用してクロップされた３Ｄデータセット３５０の断面ビューを示す。図３Ｃと同様に、図３Ｅは、図３Ｄのボリュームレンダリング３０２'の、対応するＢモード画像３０４'とのオーバレイ画像３０６'を示す。図３Ｄ及び図３Ｅに示すように、３Ｄデータセット３５０は、面３０９によって示されるように一方向にクロップされることができ、そののち、ボリュームに対する第１の切断平面の相対位置が維持され、他方、面３０９を投影面に対して斜めに位置付けるように回転されるボリュームを示すように、レンダリングが更新される。第２の切断平面は、第２の切断平面と一致する平面においてＢモード画像を自動的に生成するように活性化され操作されることができる。いくつかの例において、第２の切断平面は、第１の切断平面と直交関係にあるように出フィルと設定され、それにより、３つの標準ビュー（例えば、コロナル、サジタル又はアキシャル）のうちの１つがインタラクティブに識別されると、オペレータは標準の直交ビューを容易に得ることができる。これは、特に、ボリュームレンダリング及び操作がリアルタイムに行われる場合、及び胎児又は心臓超音波のような動くターゲットをイメージングする場合に、標準ビューを取得するプロセスを簡単にすることができる。
【００３０】
図４は、本発明の原理によるボリュームレンダリングインタフェースを具体化することができる超音波システム４００の一部を示す。超音波システム４００は、図２の超音波イメージングシステムのコンポーネントの一部又は全部を有することができる。超音波システム４００は、ディスプレイ４１０と、さまざまな物理的制御器（例えば、トラックボール４２５及びボタン４３０ロータリエンコーダ４２０、タッチスクリーン４１５など）とを有する。いくつかの例において、超音波システム４００は、追加のディスプレイ（図示せず）に機能的に結合されることができる。例えば、主ディスプレイモニタは、検査室又は手術室内のいかなる場所にも提供されることができ、それにより、データ取得中にユーザにとってより便利なビューイングロケーションを提供することができる。ディスプレイ４１０及び／又はディスプレイ４１５上にレンダリングされたボリュームを操作するためのユーザ入力は、制御パネル４０５を通じて受け取られることができる。いくつかの例において、超音波システム４００は、動き追跡装置４５０を有することができるタッチレスインタフェースを備えることができる。動き追跡装置４５０は、ユーザの手などの対象が装置４５０の追跡フィールドに置かれたときに、対象を光学的に追跡するように構成されることができる。動き追跡装置５５０は、制御パネル４０５上又はその近傍に設けられることができる。他の例において、動き追跡装置４５０は、患者検査デーブル上又はその近傍のいかなる場所にも位置付けられることができる。動き追跡装置５５０は、同時係属中の出願人整理番号２０１６ＰＦ００７８６の米国特許出願「Systems and methods for three dimensional touchless manipulation of medical images」の中の実施例のいずれかに従って実施されるタッチレスインタフェースの一部でありえ、かかる出願の内容は、その全体が参照により本明細書に組み込まれる。
【００３１】
図５及び図６を参照して、３Ｄ超音波データからＢモード画像を生成するための例示的な技法が記述される。この例は、３Ｄ超音波データを参照して説明されているが、本開示の原理は、個々の異なるイメージングモダリティを使用して取得される３Ｄデータセットに関して実施されることができることが理解される。図５は、３Ｄ超音波データからＢモード画像を生成するためのプロセス５００のフロー図を示す。プロセス５００は、図６のボリュームレンダリングインタフェース６００の態様を示すブロック図を参照して説明される。
【００３２】
プロセス５００は、システム２００のような超音波イメージングシステムによって実行することができる。プロセス５００は、３Ｄデータセット６５０にアクセスすることから始まる。いくつかの例では、３Ｄデータセット６５０にアクセスすることは、メモリから３Ｄデータセット６５０を取り出すことを含む。例えば、３Ｄデータセット６５０は、３Ｄデータセット６５０から画像をレンダリングする前に、システム２００の超音波プローブ２１２のような超音波プローブによって取得されることができる。いくつかの例では、３Ｄデータセット６５０にアクセスすることは、ブロック５１０に示すように、３Ｄデータセット６５０を取得することを含みうる。プロセス５００の１又は複数のステップは、データ取得中にリアルタイムに実行されることができる。
【００３３】
プロセス５００は、ブロック５１２に示すように３Ｄデータセット６５０のレンダリングを生成することによって続行する。例えば、図６のボックス６１０に示すように、３Ｄデータセット６５０の２Ｄ投影画像６０２が生成され、ディスプレイ（例えばシステム２００のディスプレイ２３８）上に表示されることができる。ディスプレイは、レンダリングエンジン（例えば、システム１００のボリュームレンダラ１１２又はシステム２００のボリュームレンダラ２３４）と機能的に関連付けられるユーザインタフェースの部分であり、かかる部分は、ボックス６１２に示すように３Ｄデータセット６５０をクロップするための入力を含む、３Ｄデータセット６５０を操作するための入力を受け取るように構成される。
【００３４】
プロセス５００は、ブロック５１４に示すように、３Ｄデータセットに関連する切断平面のロケーションを変更するためのユーザ入力を受け取り、ブロック５１６に示すように、３Ｄデータセットの断面ビューを表示することによって続行する。例えば、ユーザは、断面ビュー６０３を生成するために３Ｄデータセット６５０に対して切断平面６６６を動かすことによってボリュームを動的にクロップする。カットアウトビュー６０３では、ボリュームの一方の側に一致する及びボリュームの一方の側に位置する（例えば、ビューアの視点からの切断平面）ボリュームの一部のみがディスプレイ上にレンダリングされる。断面ビューでは、切断平面の後方にある３Ｄデータセットの一部がレンダリングされ（表示部分とも呼ばれる）、切断平面６６６の反対側に配置される３Ｄデータセットの部分（すなわち、切断平面６６６と投影平面との間）は、関心領域６５２を含むイメージングされるボリュームの内部解剖学的構造を露出するようにレンダリングされない。オペレータが切断平面６６６を移動させると、ボリュームレンダリングがリアルタイムに更新されて、３Ｄデータセット６５０の動的に変化する断面ビューを示す。動的に変化する断面ビューは、ボックス６１４及び６１６に示されるように、オペレータが、イメージングされたボリュームの内部の解剖学的構造を視覚化し、１又は複数のＢモード画像を生成するために当該平面を視覚的に識別することを可能にする。ボリュームレンダリングが、動的に変化する断面ビューを示すように更新される間、シェーディング情報が、断面ビューに表示される３Ｄデータセットの一部において可視のままである表面について計算され、これは、ユーザには深さの知覚を提供する。
【００３５】
プロセス５００は、ブロック５１８に示されるように、切断平面のロケーションにおけるＢモード画像を生成することによって続行する。表示される任意の断面ビューのためのＢモード画像６０４は、自動的に生成されることがき、例えば、ボックス６１４及び６１６に示すように、ボリュームレンダリングと同時にディスプレイ上に自動的に表示されることができる。いくつかの例において、Ｂモード画像（例えば、６０４、６０４'、６０４''）は、ボリュームレンダリング６０２に隣接して表示されることができる。他の例において、切断平面に対応する単一のＢモード画像が、ボリュームレンダリング上に重ね合わせることができ、従って、プロセス５００のブロック５２０に示されるように、断面ビューが更新されると動的に更新されることができる。いくつかの例では、ボリュームレンダリングインタフェースが自動Ｂモード画像生成モードの選択を確認するユーザ入力を受け取ると、Ｂモード画像の生成が自動になりうる。更に他の例では、ボリュームレンダラから切断平面のロケーションを受け取ることに応じて（すなわち、ユーザがスライス面のロケーションを指定する必要なしに）Ｂ−モード画像が再構成されるが、Ｂモード画像は、それにもかかわらずＢモード画像を生成するためのユーザからの確認入力を受け取るまで生成されず、かかる確認入力は、ユーザが、制御パネル又はプローブ上のボタンを押すか、タッチスクリーン上の或る位置をタップするか、又は所与のタッチレスコマンドを入力することにより提供されることができる。これに関して、インタフェースは、Ｂモード画像を生成する前にユーザが所望の切断平面へとスクロールすることを可能にし、これは計算資源の使用を低減することができる。
【００３６】
更に別の例では、ボックス６１６に示すように、複数のＢモード画像が生成されることができる。例えば、付加的なＢモード画像（６０４'、６０４''）が生成され、表示されることができ、いくつかのケースでは、後の調査のために表示されることなく、単に記憶されることができる。付加的なＢモード画像は、選択された切断平面６６６から所与の距離だけ離間した平行なスライスでありうる。いくつかの例では、切断平面６６６のインタラクティブな選択に続いて、斜めのスライス又は場合によっては直交するスライスが、自動的に生成されることができる。スライス間の間隔及び／又は角度は、ユーザが設定可能であり、ボリュームクロッピングモードに入る前に、又は所望の切断平面が視覚的に識別された後に、設定されることもできる。他の例では、ボリュームレンダリングインタフェースは、ユーザが、間隔を置いた平行なスライスの方向を（例えば、選択された切断平面の前又は後ろに）指定することを可能にすることができる。ボリュームレンダリングインタフェースは更に、（もしある場合には）Ｂモード画像の中のどれがレポートに自動的に含められるべきかをユーザが指定できるように構成されることができる。このようにして、説明されたボリュームレンダリングインタフェース及び技法は、以前に可能であったような画像ボリュームを通じて２Ｄスライス画像（例えば、Ｂモード画像）を生成するためにより直感的かつ／又はインタラクティブなアプローチを提供することができる。
【００３７】
コンポーネント、システム及び／又は方法が、コンピュータベースのシステム又はプログラマブル論理のようなプログラマブルデバイスを使用して実現されるさまざまな実施形態において、上述のシステム及び方法は、後に「Ｃ」、「Ｃ＋＋」、「ＦＯＲＴＲＡＮ」、「Ｐａｓｃａｌ」、「ＶＨＤＬ」のようなさまざまな既知のプログラミング言語又は今後開発されるプログラミング言語を使用して実現されることができる。従って、コンピュータなどの装置に上述のシステム及び／又は方法を実現するよう指示することができる情報を含むことができる磁気コンピュータディスク、光ディスク、電子メモリなどのさまざまな記憶媒体が準備されることが可能である。適当な装置が、記憶媒体に含まれる情報及びプログラムにアクセスすると、記憶媒体は情報及びプログラムを装置に提供し、それにより、装置が本明細書に記載のシステム及び／又は方法の機能を実行することを可能にする。例えば、ソースファイル、オブジェクトファイル、実行可能ファイルなどの適切なマテリアルを含むコンピュータディスクがコンピュータに提供された場合、コンピュータは情報を受け取り、それ自体を適切に構成し、さまざまな機能を実現するための上述の図及びフローチャートに概説されるさまざまなシステム及び方法の多様な機能を実行することができる。すなわち、コンピュータは、上述したシステム及び／又は方法の個々の異なる構成要素に関するディスクから情報の多様な部分を受け取り、個々のシステム及び／又は方法を実現し、上述した個々のシステム及び／又は方法の機能を調整することができる。
【００３８】
本開示を考慮して、本明細書で説明されるさまざまな方法及びデバイスは、ハードウェア、ソフトウェア及びファームウェアにおいて実現され得ることに留意されたい。更に、さまざまな方法及びパラメータは、単なる例示であって、限定的な意味で含まれるものではない。本開示を考慮して、当業者であれば、本発明の範囲内にありながら、当業者自身の技法を決定し、これらの技法を実施するために必要な機器を決定する際に本教示を実現することができる。
【００３９】
本システムは、超音波イメージングシステムを特に参照して説明されているが、本システムが、１又は複数の画像が体系的に取得される他の医療イメージングシステムにも拡張できることも企図される。従って、本システムは、非限定的であるが腎臓、精巣、乳房、卵巣、子宮、甲状腺、肝臓、肺、筋骨格、脾臓、心臓、動脈及び血管系、並びに超音波ガイドされる介入に関連する他のイメージングアプリケーションに関連する画像情報を取得し及び／記録するために使用されることができる。更に、本システムは、従来のイメージングシステムと共に使用されることができる１つ又は複数のプログラムを含むこともでき、その結果、従来のイメージングシステムは、本システムの特徴及び利点を提供することができる。本開示の特定の付加的な利点及び特徴は、本開示を研究する際に当業者に明らかであり得、又は本開示の新たなシステム及び方法を使用する人々によって経験されることができる。本システム及び方法の別の利点は、本システム、装置及び方法の特徴及び利点を組み込むように従来の医用イメージングシステムが容易にアップグレードされることができることである。
【００４０】
当然ながら、本明細書に記載された実施例、実施形態又はプロセスのいずれか１つは、１又は複数の他の実施例、実施形態及び／又はプロセスと組み合わせることができ、又は本発明のシステム、装置及び方法に従って別個の装置及び／又は装置部分の間で分離され、及び／又は実施されることができる。
【００４１】
最後に、上記の議論は、本システムの単なる例示であり、特許請求の範囲を任意の特定の実施形態又は実施形態の群に限定するものとして解釈されるべきでない。従って、本システムは、例示的な実施形態を参照して特に詳細に説明されているが、広範かつ意図された本発明の精神及び範囲から逸脱することなく、多くの変更例及び代替実施形態が当業者によって考案され得ることが理解されるべきである。従って、明細書及び図面は、例示的な態様で考慮されるべきであり、添付の特許請求の範囲を限定することを意図しない。
【図１Ａ】
2019517350.tif 000003
【図１Ｂ】
2019517350.tif 000004
【図２】
2019517350.tif 000005
【図３Ａ】
2019517350.tif 000006
【図３Ｂ】
2019517350.tif 000007
【図３Ｃ】
2019517350.tif 000008
【図３Ｄ】
2019517350.tif 000009
【図３Ｅ】
2019517350.tif 000010
【図４】
2019517350.tif 000011
【図５】
2019517350.tif 000012
【図６】
2019517350.tif 000013
【図７】
2019517350.tif 000014
【図８】
2019517350.tif 000015
【図９】
2019517350.tif 000016
【図１０】
2019517350.tif 000017
【図１１】
2019517350.tif 000018
【国際調査報告】
2019517350.tif 000019
2019517350.tif 000020
2019517350.tif 000021
2019517350.tif 000022